【事件の表示】
　平成　５年特許願第　５２４３９号「電磁継電器」拒絶査定不服審判事件〔平成　６年　９月２２日出願公開、特開平　６−２６７３８８号〕について、次のとおり審決する。
【結　論】
　本件審判の請求は、成り立たない。
【理　由】
１．手続の経緯・本願発明
　本願は、平成５年３月１２日の出願であって、平成１５年７月１５日付けで拒絶査定がなされ、これに対し、同年８月２１日に審判請求がなされたものである。
　本願の請求項１に係る発明（以下、「本願発明」という。）は、平成１５年９月１９日付け手続補正書により補正された明細書及び図面の記載からみて、その特許請求の範囲の請求項１に記載された次のとおりのものである。
「鉄心にスプールを介してコイルを巻回した電磁石と、
該電磁石の側部に配置され、一端部を上記鉄心に連結したヨークと、
略Ｌ字状に屈曲され、その屈曲部内面を上記ヨークの他端部に係止し、一端部の吸着部を上記鉄心に対向して揺動可能に支持された鉄片と、
該鉄片の屈曲部外面に圧接し、鉄片を保持するヒンジバネと、
上記鉄片の揺動動作に基づいて接点を開閉する接点機構を備えた電磁継電器において、
上記電磁石、ヨーク、鉄片、及びヒンジバネからなる組立体がベースに組み付けられており、
上記組立体は、鉄片の吸着部をベースに対向させた状態でヨークの両側垂直部をベースの対向溝部に差し込んで固定されており、
上記鉄片の屈曲部外側には溝部を形成し、
該溝部の底面部に上記ヒンジバネが圧接されており、
上記ベースには、上記鉄片の屈曲部近傍にあって上記屈曲部外面近傍にこの屈曲部外面と一定の厚みを有する隙間を隔てて対向する曲面形状の鉄片規制部が形成されており、
上記鉄片規制部に上記ヒンジバネの圧接片の一部を収容する溝部が形成されていることを特徴とする電磁継電器。」
　
２．引用例
　これに対して、原査定の拒絶の理由で引用した、実願昭６０−１２１３号（実開昭６１−１１７４４０号）のマイクロフィルム（以下、「引用例１」という。）には、「電磁継電器」に関し以下の事項が図面とともに記載されている。
（１）「（産業上の利用分野）本考案は電磁継電器に関する。」（明細書第２頁第１２〜１３行）
（２）「第１図を参照すると、本考案の一実施例は、スプール１１と鉄心１２と駆動巻線とヨーク１４とヒンジ１５とアーマチュア１６とから構成された磁気回路組立部と、可動接点ばね５４と固定メーク接点ばね５６と固定ブレーク接点ばね５８とから構成された接点切換組立部（接点切換機構）と、アーマチュア１６に固着されこのアーマチュア１６の動きを可動接点ばね５４に伝えるカード５１と、ベース５０と、カバー６３とを備えている。スプール１１，鉄心１２，駆動巻線１３，ヨーク１４，ヒンジ１５，アーマチュア１６より構成された磁気回路組立部はベース５０に固定されている。」（明細書第６頁第３〜１５行）
（３）「アーマチュア１６にはカード５１が固着され、このカード５１は磁気回路組立部と接点を切換える接点切換組立部とを連結する。カード５１の先端は可動メーク接点５２および可動ブレーク接点５３を有する可動接点ばね５４に連結している。可動接点ばね５４の両側にそれぞれ対向して固定メーク接点５５を有する固定メーク接点ばね５６と、固定ブレーク接点５７を有する固定ブレーク接点ばね５８とが配設されている。」（明細書第６頁第１５行〜第７頁第３行）
（４）「ベース５０にカバー６３が被せられ、両者の間隙およびベース５０の下面に樹脂が流入されて電磁継電器が構成される。」（明細書第７頁第６〜８行）
（５）「次に第２Ａ図および第２Ｂ図を参照すると、本考案の電磁継電器の磁気回路組立部の詳細が示されている。スプール１１は、頭部１１１と底部１１２とを有し、このスプール１１の頭部１１１から底部１１２までのほぼ中心軸には鉄心１２が挿入され、この鉄心１２に駆動巻線１３を巻装して巻線部を形成する。スプール１１の頭部１１１はほぼ正方形を成し、その三辺で垂直に形成された鍔１１３と、この鍔１１１の対向する二辺のそれぞれに、ヒンジ１５の固定手段として凸部をなす係止突起１１４および導入溝１１５を有している。ヨーク１４はＬ形の長方形平板で、スプール１１と並置され、一方の平板部を固定部１４１としてスプール１１の底部１１２に固着している。ヒンジ１５はスプール１１の鍔１１３の上縁に蓋のように被せたとき鍔１１３の係止突起１１４および導入溝１１５に係止する固定手段としての係止穴１５２を持つ挿入穴１５３と、スプール１１の鍔１１３が設けられていない一辺の方向に「く」の字形に伸びたヒンジスプリング１５１とを有する。アーマチュア１６はほぼ「く」の字形を成す長方形平板より成り、「く」の字に曲げられた屈折部１６４と、鉄心１２に吸引される上方側平板の接極部１６１と、ヨーク１４に接しカード（図示していない）を介して接点ばね（図示されていない）を駆動する下方側平板の接点駆動部１６２とを有する。また、接極部１６１と接点駆動部１６２との境界の屈折部１６４には２本のヒンジスプリング１５１の横幅の長さの浅い切欠溝１６３を有する。アーマチュア１６の接極部１６１をスプール１１の鍔１１３の開口部から挿入するように配置し、ヒンジ１５を鍔１１３の上縁に被せ挿入爪１５３をスプール１１頭部１１１の導入溝１１５に合わせてスプール１１の中心軸方向に押圧すると、スプール１１の係止突起１１４にヒンジ１５の係止穴１５２が係合しヒンジ１５は固定される。従って、アーマチュア１６はそのくの字形の屈折部の切欠溝１６３でヒンジスプリング１５１によりヨーク１４の主平板１４２縁端に圧接固定されると共に接極部１６１は、鉄心１２の長手方向において鉄心１２とヒンジ１５とに挟まれかつ周囲三辺をスプール１１の鍔１１１に囲まれている。」（明細書第７頁第９行〜第９頁第１１行）
（６）「上記構造による動作作用について説明する。駆動巻線１３に通電し鉄心１２を励磁するとアーマチュア１６の接極部１６１は鉄心１２に吸引される。アーマチュア１６はその屈折部がヒンジスプリング１５１によりヨーク１４の一端辺に押圧されて支点となり、接極部１６１が鉄心１２に吸引されると接点駆動部１６２がヨーク１４から離れる方向に動く。駆動巻線の非通電時において、アーマチュア１６の接点駆動部１６２は可動接点ばね５４の弾性によりカード５１を介してヨーク１４側に押圧されているので、前記鉄心１２の吸引による接点駆動部１６２の移行距離分だけ接点ばねが移動し接点をブレーク側からメーク側に切換える。アーマチュア１６は、その接極部１６１がスプール１１頭部１１１の鍔１１３とヒンジ１５で形成する箱の中にあり、更にこの箱の開口部においてヒンジスプリング１５１によって押圧されているので激しい動きに対しても大幅に位置を逸脱することはない。」（明細書第９頁第１２行〜第１０頁第１０行）
（７）「次に、第４Ａ図および第４Ｂ図を参照し、アーマチュア１６の屈折部１６４に設けた切欠溝１６３の実施例について説明する。第４Ａ図は第１の実施例を示し、第１Ａ図に示す２本のヒンジスプリング１５１に対して１本の幅の広い切欠溝１６３を設けたものである。第４Ｂ図は第２の実施例を示し。２本のヒンジスプリング１１５のそれぞれの幅に合致した２本の切欠溝１６３を設けたものである。切欠溝１６３を設けることによりアーマチュア１６の位置決めが容易に行なえ、アーマチュア１６の左右への位置ずれによる摩擦および不安定動作が防止できる。」（明細書第１２頁第９〜２０行）
（８）「またスプール頭部とヒンジとでアーマチュアの接極部を包囲すると共にアーマチュアの屈折部に切欠溝を設けることにより激しいアーマチュアの往復運動および電磁継電器の落下のような衝撃振動に対してもアーマチュアが所定位置から逸脱せず安定動作が行なえるという効果がある。」（明細書第１３頁第５〜１１行）
（９）第４Ａ図および第４Ｂ部には、ヒンジスプリング１５１に対して切欠溝１６３を設けた点が図示されている。
（１０）鉄心１２にスプール１１を介して駆動巻線１３を巻回したものは電磁石であることは明らかである。
　
　上記記載事項を総合すると、引用例１には次の発明（以下、「引用発明」という。）が記載されていると認められる。
「鉄心１２にスプール１１を介して駆動巻線１３を巻回した電磁石と、電磁石の側部に配置され、一端部を鉄心１２に連結したヨーク１４と、略Ｌ字状に屈曲され、その屈曲部内面をヨーク１４の他端部に係止し、一端部の接極部１６１を鉄心１２に対向して揺動可能に支持されたアーマチュア１６と、アーマチュア１６の屈曲部外面に圧接し、アーマチュア１６を保持するヒンジスプリング１５１と、アーマチュア１６の揺動動作に基づいて接点５２，５３，５５，５７を開閉する接点切換組立部を備えた電磁継電器において、電磁石、ヨーク１４、アーマチュア１６及びヒンジスプリング１５１からなる磁気回路組立部がベース５０に組み付けられており、磁気回路組立部は、アーマチュア１６の接極部１６１を、ベース５０に被せられるカバー６３の上面に対向させた状態で固定させており、アーマチュア１６の屈曲部外側には切欠溝１６３が形成され、切欠溝１６３の上面部にヒンジスプリング１５１が圧接されている電磁継電器。」
　
３．対比
　そこで、本願発明と引用発明とを対比すると、後者の「鉄心１２」は、その機能・構造からみて、前者の「鉄心」に相当し、以下同様に、「スプール１１」は「スプール」に、「駆動巻線１３」は「コイル」に、「電磁石」は「電磁石」に、「アーマチュア１６」は「鉄片」に、「アーマチュア１６の接極部１６１」は「鉄片の吸着部」に、「ヒンジスプリング１５１」は「ヒンジバネ」に、「接点５２，５３，５５，５７」は「接点」に、「接点切換組立部」は「接点機構」に、「電磁継電器」は「電磁継電器」に、「磁気回路組立部」は「組立体」に、「ベース５０」は「ベース」に、「切欠溝１６３」は「溝部」に、それぞれ相当する。
　
　そうすると、両者は次の点で一致する。
【一致点】
「鉄心にスプールを介してコイルを巻回した電磁石と、該電磁石の側部に配置され、一端部を上記鉄心に連結したヨークと、略Ｌ字状に屈曲され、その屈曲部内面を上記ヨークの他端部に係止し、一端部の吸着部を上記鉄心に対向して揺動可能に支持された鉄片と、該鉄片の屈曲部外面に圧接し、鉄片を保持するヒンジバネと、上記鉄片の揺動動作に基づいて接点を開閉する接点機構を備えた電磁継電器において、上記電磁石、ヨーク、鉄片、及びヒンジバネからなる組立体がベースに組み付けられており、上記鉄片の屈曲部外側には溝部を形成し、該溝部に上記ヒンジバネが圧接されている電磁継電器。」
　
　そして、両者は次の点で相違する。
【相違点１】
  本願発明では、電磁石、ヨーク、鉄片、及びヒンジバネからなる組立体は、鉄片の吸着部をベースに対向させた状態でヨークの両側垂直部をベースの対向溝部に差し込んで固定されているのに対し、引用発明では、電磁石、ヨーク、鉄片、及びヒンジバネからなる組立体は、鉄片の吸着部を、ベース５０に被せられるカバー６３の上面に対向させた状態で固定されている点。
　
【相違点２】
　本願発明は、鉄片の屈曲部外側に溝部を形成し、溝部の底面部にヒンジバネが圧接されているのに対し、引用発明では、鉄片の屈曲部外側に溝部を形成し、溝部の上面部にヒンジバネが圧接されている点。
　
【相違点３】
　本願発明では、ベースには、鉄片の屈曲部近傍にあって屈曲部外面近傍に屈曲部外面と一定の厚みを有する隙間を隔てて対向する曲面形状の鉄片規制部が形成されており、鉄片規制部にヒンジバネの圧接片の一部を収容する溝部が形成されているのに対し、引用発明では、鉄片の屈曲部近傍には鉄片規制部があるか不明である点。
　
４．判断
　上記相違点について検討する。
【相違点１】について
　電磁継電器において、鉄片の吸着部をベースに対向させた状態で、ヨークの両側垂直部をベースの対向溝部に差し込んで固定することは、周知の技術（例えば、実願昭５７−１９５８６４号（実開昭５９−１０３３４９号）のマイクロフィルム、特公昭６１−３４２１４号公報、実願平１−８６０１号（実開平２−１０１４４９号）のマイクロフィルム参照）であって、引用発明の電磁石、ヨーク、鉄片、及びヒンジバネからなる組立体をベースに固定するにあたり、鉄片の吸着部をベースに対向させた状態で、ヨークの両側垂直部をベースの対向溝部に差し込んで固定することは、当業者が容易になし得ることである。
　
【相違点２】について
　引用発明においては、鉄片の屈曲部外側に形成した溝部の上面部にヒンジバネが圧接しているが、上記「【相違点１】について」で述べたように、鉄片の吸着部をベースに対向させた状態でベースに固定するにあたり、溝部の底面部にヒンジバネを圧接させることは当業者が当然考慮すべき事項にすぎないから、相違点２に係る本願発明の構成は引用発明から当業者が容易になし得ることである。
　
【相違点３】について
　電磁継電器のベースに、鉄片の屈曲部近傍にあって屈曲部外面近傍に屈曲部外面と一定の厚みを有する隙間を隔てて対向する曲面形状の鉄片規制部を形成することは、周知の技術（例えば、特開平３−２５２０２３号公報（特に、「両側壁１８ａ，１８ａ間には、アマチヤ４の外側面を支持する支持凹部１８ｂが、上方に突出するように連設してある。」（第３頁左上欄第１２〜１５行）の記載参照。支持凹部１８ｂは鉄片規制部に相当する。）、また、特開平４−１０９５３２号公報（特に、「先端部から上壁１０ｂにかけて緩やかに傾斜したアマチヤ支持面１０ｊが形成されている」（第４頁左上欄第１０〜１２行）の記載参照。アマチヤ支持面１０ｊは鉄片規制部に相当する。））であり、そうした周知の技術と引用発明とはどちらも電磁継電器に関するものであるから、上記周知の技術を引用発明に適用することは当業者であれば容易に想到し得ることであり、そうした場合、ヒンジバネ（ヒンジスプリング１５１）の作用及び配置を考慮して、鉄片規制部に、ヒンジバネの圧接片の一部を収容する溝部を形成することは、当業者が設計にあたり、当然考慮すべき事項にすぎないものである。
　そして、本願発明を全体としてみた効果も、引用発明及び周知の技術から当業者であれば予測できる範囲内のものであって、格別なものとはいえない。
　
５．むすび
　以上のとおり、本願発明は、引用発明及び周知の技術に基づいて、当業者が容易に発明をすることができたものであるから、特許法第２９条第２項の規定により、特許を受けることができない。
　よって、結論のとおり審決する。